(57)【要約】【課題】本発明の課題は、画像形成装置において、給紙順序の異なる複数の給紙トレイを選択的に利用して、挿入紙を挿入した印刷を行うことを可能とする。【解決手段】プリンタドライバ２において、タブ紙の給紙方法を設定させ、設定されたタブ紙の給紙方法に応じて、制御部１１により印刷データの出力順序を制御して、通信部２４から画像形成装置１に印刷データを出力させる。【選択図】      図１
2004240730.tif 000002
【特許請求の範囲】
【請求項１】
指定された頁に挿入紙を挿入して印刷データを印刷する画像形成装置に印刷データを出力するプリンタドライバであって、
挿入紙の給紙順序を設定する設定データを取得し、前記挿入紙の給紙順序に基づいて、印刷データの出力順序を制御する制御部を備えることを特徴とするプリンタドライバ。
【請求項２】
前記制御部は、アプリケーションにより指定される印刷データの出力順序を取得し、前記挿入紙の給紙順序及び前記印刷データの出力順序に基づいて、印刷データの出力順序を制御することを特徴とする請求項１記載のプリンタドライバ。
【請求項３】
前記挿入紙はタブ紙であり、
前記タブ紙の給紙順序を設定する設定データは、ストレート給紙又は反転給紙のいずれかを行うトレイの種類を含み、
前記制御部は、前記設定データに含まれるトレイの種類に基づいて、印刷データの出力順序を制御することを特徴とする請求項１又は２記載のプリンタドライバ。
【発明の詳細な説明】
【０００１】
【発明の属する技術分野】
本発明は、指定された頁に挿入紙を挿入して印刷を行う画像形成装置に印刷データを出力するプリンタドライバに関するものである。
【０００２】
【従来の技術】
近年、複写機、プリンタ等の画像形成装置において、指定されたページにタブを有する転写紙（以下、「タブ紙」と称する）を給紙して、タブに指定された文字の見出しを印刷する技術が考案、開示されている。このようなタブ紙に印刷を行う場合、例えば、原文書のイメージを走査して電子イメージを生成し、この電子イメージを確実にタブの正しい位置にくるようにシフトさせ、所定の並び順に従ってセットされたタブ紙に印刷を行う電子複写印刷装置が知られている（例えば、特許文献１参照）。
【０００３】
また、タブストックに位置決めをして印刷するための印刷ジョブから画像を抽出し、抽出した画像をタブ上に正確に配置するために、当該画像を線形的、回転的、寸法的に変換し、所定の並び順に従ってセットされたタブ紙に印刷を行う電子複写印刷システムが知られている（例えば、特許文献２参照）。
【０００４】
【特許文献１】
特開平３−２３５３０１号公報
【特許文献２】
特開平６−１４０１１８号公報
【０００５】
【発明が解決しようとする課題】
しかしながら、上述した従来の電子複写印刷装置等においては、タブ紙に印刷するデータをタブ紙の指定した位置に印刷する制御を行うのみで、印刷を行うタブ紙の給紙順序を制御するものではなかった。したがって、印刷を行うタブ紙の供給は、所定の並び順に従って行われるように、ユーザにより所定の順序に並び替えられたタブ紙をストレート給紙が可能な手差しトレイにセットすることにより行われていた。
【０００６】
一方、近年の画像形成装置においては、手差しトレイの他に用紙サイズや用紙種別に応じた複数のカセットから給紙を行うことが可能であるが、タブ紙のような、方向や順序が一定に定まる用紙については、反転給紙が行われるカセットを利用して給紙を行うと、用紙の方向とデータの順序にズレが生じ、正しい順序にてデータを印刷することができなかった。したがって、例えば、大量給紙トレイ等を利用して連続したタブ紙の印刷を行うことができず、作業効率を悪いという問題があった。
【０００７】
本発明の課題は、画像形成装置において、給紙順序の異なる複数の給紙トレイを選択的に利用して、挿入紙を挿入した印刷を行うことを可能とするプリンタドライバを提供することである。
【０００８】
【課題を解決するための手段】
上記課題を解決するために、請求項１記載の発明は、
指定された頁に挿入紙を挿入して印刷データを印刷する画像形成装置に印刷データを出力するプリンタドライバであって、
挿入紙の給紙順序を設定する設定データを取得し、前記挿入紙の給紙順序に基づいて、印刷データの出力順序を制御する制御部を備えることを特徴とする。
【０００９】
したがって、挿入紙が給紙される順序に応じて、印刷データの出力順序を変更して印刷を行うことができるため、異なる給紙順序にて挿入紙が給紙される場合であっても、挿入紙の挿入位置や印刷位置にズレが生じることを防いで、効率の良い印刷を行うことができる。また、挿入紙の給紙順序に応じて印刷データの出力順序を制御することができるため、ユーザの手作業による挿入紙の並べ替え等の手間を省いて、作業効率を大幅に向上させることができる。
【００１０】
請求項２記載の発明は、請求項１記載のプリンタドライバにおいて、
前記制御部は、アプリケーションにより指定される印刷データの出力順序を取得し、前記挿入紙の給紙順序及び前記印刷データの出力順序に基づいて、印刷データの出力順序を制御することを特徴とする。
【００１１】
したがって、挿入紙の給紙順序及び印刷データの出力順序を任意で設定し、設定された内容に応じて、印刷データの出力順序を制御して印刷を行うことができるため、ユーザの使用態様に応じた汎用性の高いプリンタドライバを提供することができる。
【００１２】
請求項３記載の発明は、請求項１又は２記載のプリンタドライバにおいて、
前記挿入紙はタブ紙であり、
前記タブ紙の給紙順序を設定する設定データは、ストレート給紙又は反転給紙のいずれかを行うトレイの種類を含み、
前記制御部は、前記設定データに含まれるトレイの種類に基づいて、印刷データの出力順序を制御することを特徴とする。
【００１３】
したがって、指定した頁にタブ紙を挿入して印刷を行う場合に、ユーザは、給紙を行うトレイの種類を指定するだけで、指定されたトレイの給紙順序に応じて印刷データの出力順序が制御されて、タブ紙が所望の位置に挿入された印刷を行うことができ、操作性が向上する。
【００１４】
【発明の実施の形態】
以下、図を参照して本発明の実施の形態を詳細に説明する。ただし、発明の範囲は、図示例に限定されない。なお、以下においては、本発明の好適な一例として、本発明の挿入紙がタブ紙である場合を例として説明を行う。
【００１５】
まず、本実施の形態の構成を説明する。
図１は、本実施の形態における画像形成装置１の内部構成を示す断面図である。なお、図１では、本発明に必要な構成のみ示し、説明に不要なその他の駆動回路や各種駆動部は省略している。
【００１６】
図１に示すように、画像形成装置１は、本体１０、ＡＤＦ（自動書類送り出し装置）２０、フィニッシャ３０により構成されている。また、本体１０は、制御部１１、操作表示部１２、プリンタコントローラ１３、記憶部１４、給紙部１５、ドラム１６、画像露光部１７、帯電ローラ１８等を備えて構成され、各部はバスにより接続されている。
【００１７】
制御部１１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  ＡｃｃｅｓｓＭｅｍｏｒｙ）、ＲＯＭ（Ｒｅａｄ  Ｏｎｌｙ  Ｍｅｍｏｒｙ）等により構成される。ＣＰＵは、ＲＯＭに記憶された各種制御プログラムに従って、画像形成装置１の各部の動作を制御する。また、制御部１１は、本発明において、プリンタドライバ２からプリンタコントローラ１３を介して入力された印刷データに従って、画像形成装置１でのプリント動作を制御する。
【００１８】
操作表示部１２は、ＬＣＤ（Ｌｉｑｕｉｄ  Ｃｒｙｓｔａｌ  Ｄｉｓｐｌａｙ）により構成され、制御部１１から入力される表示信号の指示に従って表示画面上に各種操作ボタンや装置の状態表示、各機能の動作状況等の表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号として制御部１１に出力する。また、操作表示部１２は、数字ボタン、スタートボタン等の各種操作ボタンを備え、ボタン操作による操作信号を制御部１１に出力する。
【００１９】
プリンタコントローラ１３は、ＣＰＵ、画像メモリ、Ｉ／Ｆ等を備えている。プリンタコントローラ１３内のＣＰＵは、プリンタコントローラ１３内の各部の動作を制御し、ネットワークＮ、ＵＳＢ、セントロニクス、ＳＣＳＩ等により接続されたプリンタドライバ２との間でデータの送受信を行う。また、ＣＰＵは、プリンタドライバ２から受信した印刷データを画像メモリに展開する。画像メモリは、ＤＲＡＭ（Ｄｙｎａｍｉｃ  Ｒａｎｄｏｍ  Ａｃｃｅｓｓ  Ｍｅｍｏｒｙ）により構成されており、ネットワークＮを介してプリンタドライバ２から受信したデータを一時的に格納する。Ｉ／Ｆは、画像形成装置１がネットワークＮ、ＵＳＢ（Ｕｎｉｖｅｒｓａｌ  Ｓｅｒｉａｌ  Ｂｕｓ）、セントロニクス、ＳＣＳＩ等を介してプリンタドライバ２の通信部２４と接続するためのインターフェースである。
【００２０】
記憶部１４は、プログラムやデータ等があらかじめ記憶されている図示しない記録媒体（例えば、ＨＤＤ）を有しており、この記録媒体は磁気的、光学的記録媒体、若しくは半導体メモリで構成されている。また、この記録媒体は記憶部１４に固定的に設けられるもの、もしくは着脱自在に装着するものであり、システムプログラム、当該システムに対応する各種処理プログラム、及び各種処理プログラムで処理されたデータ等を記憶する。
【００２１】
給紙部１５は、制御部１１の制御に応じて、給紙カセット１５ａ、給紙カセット１５ｂ、手差しトレイ１５ｃから印刷用紙を取り出し、給紙ローラ、搬送ローラ等により、印刷用紙を搬送する。ここで、給紙カセット１５ａ、給紙カセット１５ｂから給紙される印刷用紙は、印刷用紙の表裏及び上下が反転する反転給紙により給紙が行われ、手差しトレイ１５ｃから給紙される印刷用紙は、表裏及び上下に反転がないストレート給紙により給紙が行われる。
【００２２】
ドラム１６は、光が当たると電荷が変化する性質を有している。帯電ローラ１８は、ドラム１６の表面を均一に帯電させる。画像露光部１７は、帯電したドラム１６に光（レーザビーム）を投射して、ドラム１６の表面に静電潜像を形成する。そして、ドラム１６の表面に形成された静電潜像は、トナー現像され、このトナー画像が印刷用紙に転写される。
【００２３】
ＡＤＦ２０は、自動書類送り出し装置であり、図示しない給送ローラ、給送ベルト、排送ローラ等により構成され、画像面を上にしてセットされた原稿束の一番上の原稿から、コンタクトガラス上の所定の位置に給送する。また、読み取りが終了した原稿を排出する。フィニッシャ３０は、本体１０から排出された印刷用紙の仕分けやステープルを行う。
【００２４】
タブ紙３は、ユーザにより予め所定の順番にて並べられ、給紙カセット１５ａ、給紙カセット１５ｂ、手差しトレイ１５ｃにセットされる。例えば、タブ紙３ａは、反転給紙される給紙カセット１５ａ、１５ｂにセットされる場合の順番を示しており、通常はユーザの手作業により、最終頁となるタブ紙が一番上になる順番に並べ替えられてセットされる。また、タブ紙３ｂは、ストレート給紙される手差しトレイ１５ｃにセットされる場合の順番を示しており、先頭頁となるタブ紙が一番上になる順序にてセットされる。また、フィニッシャ３０から排紙された印刷用紙は、印刷面が上になったＦＡＣＥ  ＵＰにて排出される。
【００２５】
プリンタドライバ２は、パーソナルコンピュータ等の端末により構成され、アプリケーションで作成した文書データや画像データを、所定のページ記述言語によって画像形成装置１で印刷可能なデータ形式に変換し、変換した印刷データを画像形成装置１に出力する。
【００２６】
図２を参照して、プリンタドライバ２の機能的構成について説明する。図２に示すようにプリンタドライバ２は、制御部２１、表示部２２、入力部２３、通信部２４、ＲＡＭ２５、記憶部２６等から構成され、各部はバス２７により接続されている。
【００２７】
制御部２１は、ＣＰＵ、ＲＯＭ等から構成され、記憶部２６に格納されている各種プログラムの中から指定されたプログラムを、ＲＡＭ２５内の図示しないワークエリアに展開し、入力部２３及び通信部２４から入力されるデータに応じて、プログラムに従った各種処理を実行し、処理結果を表示するための表示情報を生成して表示部２２へ出力する。
【００２８】
具体的に、制御部２１は、記憶部２６からタブ紙挿入印刷処理プログラムを読み出して、後述するタブ紙挿入印刷処理（図４参照）を実行する。また、制御部２１は、アプリケーション（以下、「アプリ」と記す）を実行して、文書データや画像データを生成する。また、ＣＰＵ２１は、印刷指示が入力されると、文書データや画像データを印刷可能なデータ形式に変換して印刷データを生成し、アプリにより指定された出力順序により印刷データを取得する。ここで、アプリにより指定された印刷データの出力順序は、印刷ジョブの先頭頁から印刷データを出力するか（１−Ｎ）、印刷ジョブの最終頁から印刷データを出力するか（Ｎ−１）を示すものであり、ユーザの入力指示により指定される。また、アプリによっては、印刷データの出力順序を指定できないものもあり、この場合、デフォルトにより印刷ジョブの先頭頁（１−Ｎ）から印刷データが出力されるものとする。
【００２９】
表示部２２は、ＬＣＤ（Ｌｉｑｕｉｄ  Ｃｒｙｓｔａｌ  Ｄｉｓｐｌａｙ）等の表示画面を備え、入力部２３における入力内容や、制御部２１から入力される表示情報に基づく各種画面を上記表示画面に表示させる。具体的に、表示部２２は、挿入紙の種類、タブ紙給紙頁、給紙トレイ等を設定するための挿入紙設定画面２１を表示する。以下、挿入紙設定画面２１について図３を参照して説明する。
【００３０】
図３は、プリンタドライバ２において、タブ紙を挿入する際の設定データを入力するための挿入紙設定画面２１の表示例を示す図である。図３に示す様に、挿入紙設定画面２１は、タブ紙を挿入する指定頁を設定するための「ページ番号」領域、両面印刷又は片面印刷等の機能を設定するための「機能選択」領域、「機能選択」で両面印刷が設定された場合の両面印刷種別を設定するための「両面印刷種別」領域、タブ紙の給紙トレイを選択させるための「給紙トレイ」領域、挿入するタブ紙の詳細な設定を行うための「タブ紙詳細」領域、各領域で入力されたデータを表示するデータ表示領域等が設けられている。
【００３１】
「ページ番号」領域においては、タブ紙を挿入する指定頁として、ページ番号が数字データにより入力される。「機能選択」領域においては、右端に設けられるプルダウンボタンが指示されることにより、選択可能な機能（例えば、両面印刷、片面印刷）がプルダウン表示され、プルダウン表示された機能の中から所望する機能を選択する。「両面印刷種別」領域においては、両面印刷の種類として、「両面印刷しない」、「長辺綴じ」、「短辺綴じ」の項目が設けられ、対応する項目のチェックボックスをチェックすることにより各機能を設定する。
【００３２】
「給紙トレイ」領域においては、右端に設けられるプルダウンボタンが指示されることにより、選択可能な給紙トレイ（例えば、給紙カセット（上段）、給紙カセット（下段）、手差しトレイ）がプルダウン表示され、プルダウン表示された給紙トレイの中から印刷用紙を給紙するための給紙トレイを選択する。「タブ紙詳細」領域においては、タブ紙の給紙方法（給紙順序）の種類として、「手差し給紙」、「カセット給紙」の項目が設けられ、対応する項目のチェックボックスをチェックすることにより給紙方法を設定する。ここで、タブ紙の給紙方法が設定されることにより、タブ紙の給紙順序が設定される。すなわち、タブ紙の給紙方法が「手差し給紙である場合、タブ紙の給紙順序は、ストレート給紙となり、タブ紙の給紙方法が「カセット給紙」である場合、タブ紙の給紙順序は、反転給紙となる。
【００３３】
なお、アプリにより印刷データの出力順序が１−Ｎに指定されている場合、又はアプリにより印刷データの出力順序を指定する機能を備えず、デフォルトで１−Ｎにより印刷データが出力される場合、タブ紙の給紙方法の設定は、「手差し給紙」又は「カセット給紙」を選択して設定することができる。また、ユーザの指示に応じて、アプリにより印刷データの出力順序がＮ−１に指定されている場合、自動設定により「カセット給紙」に設定される。また、アプリにより印刷データの出力順序がＮ−１に指定されている場合に、手差し給紙が選択された場合、警告を出力して、アプリによる出力順序の指定を変更させるか、カセット給紙に設定を変更させる構成であっても良い。これは、アプリによりデータの出力順序がＮ−１に指定され、給紙方法が手差し給紙に設定された場合、印刷データの出力順序を２回反転させて結果的に先頭頁から印刷データを出力することとなるため、無駄な処理を防止させるためである。
【００３４】
さらに、「タブ紙詳細」領域には、見出し文字の印刷を行う場合に、印刷を行う見出し文字を入力する「見出し文字」領域が設けられている。「見出し文字」領域においては、テキストデータ、数字データ等が入力される。「表示確認」領域には、上述した各領域において入力されたデータが表示されるのみで、当該領域においては、入力が行えない構成となっている。以上のように、挿入紙設定画面２１で設定された設定データは、ＲＡＭ２５に一時的に記憶される。
【００３５】
入力部２３は、文字キー、数字キーの他、各種機能に対応付けられた各種キーを備えたキーボードを備え、操作されたキーに対応する操作信号を制御部２１へ出力する。
【００３６】
通信部２４は、コンピュータに接続されたネットワークカード、モデム（ＭＯＤＥＭ：ＭＯｄｕｌａｔｏｒ／ＤＥＭｏｄｕｌａｔｏｒ）、ＵＳＢ、セントロニクス、ＳＣＳＩ等の各種インターフェースにより構成され、プリントコントローラ１３との間で、印刷データ等の送受信を行う。
【００３７】
ＲＡＭ２５は、前述の指定されたアプリケーション、入力指示、入力データ及び処理結果等を格納するワークメモリエリアを有する。また、ＲＡＭ２５は、挿入紙設定画面２１において設定された設定データを一時的に記憶する。
【００３８】
記憶部２６は、プログラムやデータ等があらかじめ記憶されている図示しない記録媒体（例えば、ＨＤＤ）を有しており、この記録媒体は磁気的、光学的記録媒体、若しくは半導体メモリで構成されている。また、この記録媒体は記憶部２６に固定的に設けられるもの、もしくは着脱自在に装着するものであり、システムプログラム、当該システムに対応する各種処理プログラム、及び各種処理プログラムで処理されたデータ等を記憶する。
【００３９】
また、記憶部２６は、制御部２１の制御に応じて、アプリケーションから印刷データが入力されると、一旦印刷データを格納する。次いで、全ての印刷ジョブについて印刷データが格納されると、通信部２４を介して、印刷ジョブの最終頁から順に印刷データを１頁ずつプリントコントローラ１３に出力する。
【００４０】
次に、本実施の形態の動作を説明する。
なお、動作説明の前提として、以下のフローチャートに記述されている各処理を実現するためのプログラムは、プリンタドライバ２の制御部２１が読み取り可能なプログラムコードの形態で記憶部２６に格納されており、制御部２１は、当該プログラムコードに従った動作を逐次実行する。
【００４１】
図４は、プリンタドライバ２の制御部２１により実行されるタブ紙挿入印刷処理を示すフローチャートである。図４に示すように、制御部２１は、アプリにより印刷データの出力順序がＮ−１に指定されているか否かを判断する（ステップＳ１）。ここで、印刷データの出力順序がアプリによりＮ−１に指定されていない場合（ステップＳ１；ＮＯ）、制御部２１は、ＲＡＭ２５から設定データを取得して、タブ紙の給紙方法が手差しトレイに設定されているか否かを判断する（ステップＳ２）。タブ紙の給紙方法が手差し給紙に設定されている場合（ステップＳ２；ＹＥＳ）、タブ紙の給紙順序はストレート給紙であるため、制御部２１は、アプリから１−Ｎで受け取ったデータを先頭頁から順番に処理し、通信部２４を制御して、１頁ずつプリンタコントローラ１３に出力する（ステップＳ３）。
【００４２】
次いで、制御部２１は、設定データから指定頁を取得して、指定頁にタブ紙を挿入する設定を行う（ステップＳ４）。そして、制御部２１は、印刷ジョブの出力が終了したか否かを判別し（ステップＳ５）、印刷ジョブの出力を終了した場合（ステップＳ５；ＹＥＳ）、制御部２１は、本タブ紙挿入印刷処理を終了する。
【００４３】
また、タブ紙の給紙方法が手差し給紙に設定されていない場合（ステップＳ２；ＮＯ）、すなわち、カセット給紙に設定されている場合、タブ紙の給紙順序は反転給紙であるため、制御部２１は、アプリから１−Ｎで受け取った印刷データを先頭頁から順番に処理し、記憶部２６に格納する（ステップＳ６）。次いで、ＣＰＵ２１は、印刷ジョブの全てを記憶部２６に格納したか否かを判断し（ステップＳ７）、全ての印刷ジョブを記憶部２６に格納した場合（ステップＳ７；ＹＥＳ）、ＣＵ２１は、通信部２４を制御して、記憶部２６に格納した印刷データを最終頁から１頁ずつプリントコントローラ１３に出力させる（ステップＳ１１）。
【００４４】
続いて、制御部２１は、設定データから指定頁を取得して、指定頁にタブ紙を挿入する設定を行い（ステップＳ８）、全ての印刷データをプリンタコントローラ１３に出力したか否かを判断し（ステップＳ１０）、全ての印刷データの出力を終了した場合（ステップＳ１０；ＹＥＳ）、本タブ紙挿入印刷処理を終了する。
【００４５】
さらに、ステップＳ１に戻り、アプリにより印刷データの出力順序がＮ−１に指定されている場合（ステップＳ１；ＹＥＳ）、制御部２１は、タブ紙の供給方法をカセット給紙に設定する（ステップＳ１１）。次いで、制御部２１は、アプリからＮ−１で受け取った最終頁の印刷データを先頭頁として順番に処理し、通信部２４を制御して、１頁ずつプリンタコントローラ１３に出力する（ステップＳ１２）。
【００４６】
次いで、制御部２１は、設定データから最終頁及び指定頁を取得して、（最終頁−指定頁）を算出し、算出された頁にタブ紙を挿入する設定を行う（ステップＳ１３）。そして、印刷ジョブの出力が終了したか否かを判別し（ステップＳ１４）、印刷ジョブの出力を終了した場合（ステップＳ１４；ＹＥＳ）、制御部２１は、本タブ紙挿入印刷処理を終了する。
【００４７】
以上のように、本実施の形態によれば、プリンタドライバ２において、タブ紙の給紙方法を設定させ、設定されたタブ紙の給紙方法に応じて、制御部１１により印刷データの出力順序を制御して、通信部２４から画像形成装置１に印刷データを出力させる。すなわち、タブ紙の給紙方法として、反転給紙を行う給紙カセット１５ａ、１５ｂ又はストレート給紙を行う手差しトレイ１５ｃを選択的に利用する場合に、タブ紙の給紙方法をユーザに入力させて設定することにより、それぞれの給紙順序に応じて印刷データの出力順序を制御して、所望の印刷位置にタブ紙を挿入して印刷を行うことができる。
【００４８】
これにより、給紙順序が異なる給紙トレイを利用する場合でも、タブ紙の挿入位置にズレが生じたり、印刷データにズレが生じることを防いで、効率良くタブ紙を挿入した印刷を行うことができる。例えば、反転給紙が行われる給紙カセットであっても、ユーザがタブ紙の順序を並べ替える手間を必要としないため、大量給紙が可能な給紙カセットを容易に利用することができ、業務効率を大幅に向上させることができる。
【００４９】
なお、上述した本実施の形態における記述は、本発明に係る好適な画像形成装置の一例であり、これに限定されるものではない。
例えば、本発明においては、挿入紙がタブ紙である場合を例として説明を行ったが、挿入される用紙はタブ紙に限定されず、その他、用紙の表裏又は方向が一定に定まる用紙を挿入する場合にも本発明を適用可能なことは勿論である。
【００５０】
また、本実施の形態においては、画像形成装置１がプリンタである場合を例として説明を行ったがこれに限らず、スキャナ、ファクシミリ、コピー又はこれらの複合機であっても良い。
【００５１】
その他、本実施の形態における画像形成装置１の細部構成及び細部動作に関しては、本発明の趣旨を逸脱することのない範囲で適宜変更可能であることはもちろんである。
【００５２】
【発明の効果】
請求項１記載の発明によれば、挿入紙が給紙される順序に応じて、印刷データの出力順序を変更して印刷を行うことができるため、異なる給紙順序にて挿入紙が給紙される場合であっても、挿入紙の挿入位置や印刷位置にズレが生じることを防いで、効率の良い印刷を行うことができる。また、挿入紙の給紙順序に応じて印刷データの出力順序を制御することができるため、ユーザの手作業による挿入紙の並べ替え等の手間を省いて、作業効率を大幅に向上させることができる。
【００５３】
請求項２記載の発明によれば、請求項１記載の発明の効果に加えて、挿入紙の給紙順序及び印刷データの出力順序を任意で設定し、設定された内容に応じて、印刷データの出力順序を制御して印刷を行うことができるため、ユーザの使用態様に応じた汎用性の高い画像形成装置を提供することができる。
【００５４】
請求項３記載の発明によれば、請求項１又は２記載の発明の効果に加えて、したがって、指定した頁にタブ紙を挿入して印刷を行う場合に、ユーザは、給紙を行うトレイの種類を指定するだけで、指定されたトレイの給紙順序に応じて印刷データの出力順序が制御されて、タブ紙が所望の位置に挿入された印刷を行うことができ、操作性が向上する。
【図面の簡単な説明】
【図１】本発明を適用した実施の形態における画像形成装置１の内部構成を示す断面図である。
【図２】図１に示すプリンタドライバ２の機能的構成を示すブロック図である。
【図３】プリンタドライバ２の操作表示部に表示される挿入紙設定画面２２ａを示す図である。
【図４】図１の制御部１１により実行されるタブ紙挿入印刷処理を示すフローチャートである。
【符号の説明】
１    画像形成装置
１０    本体
１１    制御部
１２    操作表示部
１３    プリンタコントローラ
１４    記憶部
１５    給紙部
１５ａ、ｂ    給紙カセット
１５ｃ        手差しトレイ
１６    ドラム
１７    画像露光部
１８    帯電ローラ
２０    ＡＤＦ
３０    フィニッシャ
２    プリンタドライバ
２１    制御部
２２    表示部
２３    入力部
２４    通信部
２５    ＲＡＭ
２６    記憶部
２７    バス
３    タブ紙
【図１】
2004240730.tif 000003
【図２】
2004240730.tif 000004
【図３】
2004240730.tif 000005
【図４】
2004240730.tif 000006